(57)【要約】      （修正有）【課題】自動車のトランスミッションなどに組み付けた後、調整などのためにユニットを傾けたり、逆さにしたりしても脱落しないケージアンドローラの提供。【解決手段】ケージアンドローラ１は、スナップリング８が嵌められている一方の円環部側から、ハウジング９と軸１０の間に挿入される。ハウジング９の内径部のうち、ころ１０の軌道９ａ部分を通過する際は、スナップリング８は縮径され保持器の前記溝内に納まっているが、ハウジング９の凹部９ｂの位置では、スナップリング８の外径面は前記軌道９ａよりも大径となる。従って、ケージアンドローラ１はハウジング９から脱落することがなくなる。【選択図】図２
2016200181.tif 000002
【特許請求の範囲】
【請求項１】
一対の円環部及び前記一対の円環部間を連結して円周方向に所定の間隔で配置される複数の柱部を有する保持器と、前記一対の円環部及び互いに隣り合う前記柱部によって形成される前記保持器のポケットにそれぞれ配置される複数のころと、を備えるケージアンドローラに於いて、一方の円環部の外径部に円周溝を設け、この円周溝にスナップリングを嵌めたことを特徴とするケージアンドローラ。
【発明の詳細な説明】
【技術分野】
【０００１】
本発明は、複数個のころと、これらのころを保持する保持器とで構成される組み合わせ
軸受であるケージアンドローラに関する。
【背景技術】
【０００２】
従来、ケージアンドローラは、内外輪を用いずに、複数個のころと、これらのころを保持する保持器とで構成される組み合わせ軸受であり、組み込む寸法領域が小さく済む上、取り扱いも比較的容易であることから、様々な機械装置に組み込まれている。
【０００３】
従来のケージアンドローラとしては、図５に示す内径開放型のＭ 型形状保持器を備えたケージアンドローラ１００が知られている（例えば、特許文献１参照）。図５に示すケージアンドローラ１００のＭ型形状保持器１１０は、ころ１０１の両端面を覆う一対の円環部１１１と、一対の円環部１１１間を連結し、外径側バレ止め部１１２と内径側バレ止め部１１３が設けられ円周方向に所定の間隔で配置される複数の柱部１１４を有する保持器であり、前記一対の円環部１１１及び互いに隣り合う前記柱部１１４によって形成されるポケット１１５を有する。ポケット１１５を挟んで対向するバレ止め部１１２、１１３間の各距離は、嵌め合い代（通称、パチン代）分だけ、ころ径より小さく形成されており、このポケット１１５に、ころ１０１を押し込んで外径側バレ止め部１１２と内径側バレ止め部１１３との間に嵌めこむことでケージアンドローラ１００は組み立てられる。組み立てられたケージアンドローラ１００は、外径側にも内径側にもバレ止め部１１２、１１３があるため、ケージアンドローラ単体でもころ１０１が保持器１１０のポケット１１５から脱落することがなく、非常に取り扱いやすい構造となっている。
【０００４】
【特許文献１】特開２００９−２７５９０９号公報
【発明の開示】
【発明が解決しようとする課題】
【０００５】
従来のケージアンドローラは、図５に示すように，保持器の最外径面は、ポケットを除けば平坦であり、例えば自動車用トランスミッションなどに組み付けた後、調整などのためにユニットを傾けたり、逆さにしたりすると脱落してしまい、組み立て作業効率の悪化につながっていた。
【０００６】
本発明は、上述した事情に鑑みてなされたものであり、ケージアンドローラを自動車のトランスミッションなどに組み付けた後、調整などのためにユニットを傾けたり、逆さにしたりしてもケージアンドローラが脱落しないようにすることを課題とする。
【課題を解決するための手段】
【０００７】
本発明の上記目的は、下記の構成により達成される。
一対の円環部及び前記一対の円環部間を連結して円周方向に所定の間隔で配置される複数の柱部を有する保持器と、前記一対の円環部及び互いに隣り合う前記柱部によって形成される前記保持器のポケットにそれぞれ配置される複数のころと、を備えるケージアンドローラに於いて、一方の円環部の外径部に円周溝を設け、この溝にスナップリングを嵌める構成。
【発明の効果】
【０００８】
上記の構成により、ケージアンドローラを自動車のトランスミッションなどに組み付けた後は、そのユニットを傾けたり、逆さにしたりしても、ハウジングの面取り部にスナップリングが引っかかるため、ケージアンドローラは脱落することはなくなり、組立の作業効率も向上する。
【図面の簡単な説明】
【０００９】
【図１】本発明の第一の実施形態に係るケージアンドローラの断面図である。
【図２】本発明の第一の実施形態に係るケージアンドローラのハウジングへの組付方法を表す図である。
【図３】本発明の第二の実施形態に係るケージアンドローラの断面図である。
【図４】本発明の第三の実施形態に係るケージアンドローラの断面図である。
【図５】従来のケージアンドローラの断面図である。
【発明を実施するための形態】
【００１０】
以下、本発明に係る密封装置の実施形態について、図面に基づいて詳細に説明する。
【００１１】
図１及び図２を参照して、本発明に係る第一の実施形態について説明する。図１に示すケージアンドローラ１のＭ型形状保持器２は、一対の円環部３、３と、一対の円環部３、３間を連結し、（図示を省略する）外径側バレ止め部と（図示を省略する）内径側バレ止め部が設けられ円周方向に所定の間隔で配置される複数の柱部４と、前記一対の円環部３、３及び互いに隣り合う前記柱部４によって形成される前記ポケット５とを有する。前記ポケット５を挟んで対向する外径側及び内径側のバレ止め部間の各距離は、嵌め合い代（ 通称、パチン代）分だけ、ころ径より小さく形成されており、このポケット５に、ころ６を押し込んで外径側バレ止め部と内径側バレ止め部との間に嵌めこむことでケージアンドローラ１は組み立てられる。組み立てられたケージアンドローラ１は、外径側にも内径側にもバレ止め部があるため、ケージアンドローラ単体でもころ６が保持器２のポケット５から脱落することがない。
【００１２】
また、ケージアンドローラ１の一方の円環部３は、その外径部に円周溝７を有しており、この円周溝７には、スナップリング８が嵌められている。
【００１３】
図２に示すように、前記ケージアンドローラ１は、前記スナップリング８が嵌められている一方の円環部側から、ハウジング９と軸１０の間に挿入される。ハウジング９の内径部のうち、ころ１０の軌道９ａ部分を通過する際は、スナップリング８は縮径され保持器の前記溝内に納まっているが、ハウジング９の凹部９ｂの位置では、スナップリング８の外径面は前記軌道９ａよりも大径となる。従って、ケージアンドローラ１はハウジング９から脱落することがなくなる。
【００１４】
図３は本発明の第二の実施形態に係るケージアンドローラの断面図である。本実施例と前記第一の実施例が異なる部分は、一方の円環部３ａの内径面に円周溝を設け、そこにスナップリング８ａを嵌め、軸の凹部１０ａに前記スナップリング８ａを配置したことである。なお、作用・効果は第一の実施例と同様である。
【００１５】
図４は本発明の第三の実施形態に係るケージアンドローラの断面図である。本実施例と前記第一の実施例が異なる部分は、保持器の一方の円環部３ｂの外径面に段部１２を設け、この段部１２に樹脂材料からなるスナップリング８ｂをしめしろを付けて嵌めたことである。作用・効果は第一の実施例と同様である。
【符号の説明】
【００１６】
１、１００  ケージアンドローラ
２、１１０  保持器
３、１１１  円環部
４、１１４  柱部
５、１１５  ポケット
６、１０１  ころ
７  円周溝
８  スナップリング
９  ハウジング
１０  軸
１１２  外径側バレ止め部
１１３  内径側バレ止め部
【図１】
2016200181.tif 000003
【図２】
2016200181.tif 000004
【図３】
2016200181.tif 000005
【図４】
2016200181.tif 000006
【図５】
2016200181.tif 000007